(57)【要約】      （修正有）【課題】商品陳列棚の横幅を長くしても剛性不足で連結部材が撓むことがなく、且つ最上段の商品陳列棚の上部にデッドスペースがなく有効に活用できる使い勝手の良い商品陳列用什器を提供すること。【解決手段】段積みした商品陳列棚３の最上段の商品陳列棚３に上部補強棚５０を載置できるようにした。上部補強棚５０は、一対の第２側壁部材と、一対の第２側壁部材の間に介装されて一対の第２側壁部材を互いに連結し、広告塔が載置可能な連結部材４１と、によって構成した。そして、第２側壁部材には、第２側壁部材の上下方向に貫通する係止穴５５ａ、５５ｂ、５５ｃを設け、商品陳列棚３の最上段の第１側壁部材３１に設けられた突起部３６が、上部補強棚５０の係止穴５５ａ、５５ｂ、５５ｃに挿入可能に構成した。【選択図】図５
0003139958.tif 000002
【実用新案登録請求の範囲】
【請求項１】
複数の商品を前後に整列させて列の前方に向かって付勢した状態で収容可能な商品収容器と、
該商品収容器を装着することによって前記商品を前記商品収容器に収容された状態で陳列し、上下に複数段に積み重ね可能な商品陳列棚と、
最上段の前記商品陳列棚に取り付けられる上部補強棚と、を有し、
前記商品陳列棚は、
前記商品収容器の左右に離れて互いに対向する一対の第１側壁部材と、
該一対の第１側壁部材の間に介装されて前記一対の第１側壁部材を互いに連結し、前記商品収容器が載せられる連結部材と、
前記第１側壁部材と該第１側壁部材に積み重ねられた他の第１側壁部材とを係止する陳列棚係止手段と、を有し、
前記上部補強棚は、
前記一対の第１側壁部材と同一間隔をおいて互いに対向する第２側壁部材と、
該一対の第２側壁部材の間に介装されて前記一対の第２側壁部材を互いに連結する連結部材と、
前記最上段の商品陳列棚の第１側壁部材と前記第２側壁部材とを係止する補強棚係止手段と、を有することを特徴とする商品陳列用什器。
【請求項２】
前記陳列棚係止手段は、前記第１側壁部材に設けられた上下方向に貫通する係止穴と、前記第１側壁部材の上方に向かって突出し、前記第１側壁部材の上部に他の第１側壁部材を積み重ねることによって該他の第１側壁部材の係止穴に挿入可能な突起部と、で構成され、
前記補強棚係止手段は、前記第２側壁部材に設けられた上下方向に貫通する係止穴と、前記第１側壁部材の上方に向かって突出し、前記第１側壁部材の上部に前記第２側壁部材を積み重ねることによって該第２側壁部材の係止穴に挿入可能な突起部と、で構成されることを特徴とする請求項１に記載の商品陳列用什器。
【請求項３】
前記第１側壁部材の突起部は、該第１側壁部材の上下方向に細長い平板状であって、且つ該平板状の突起部の短辺側には曲率が設けられており、他の第１側壁部材又は前記第２側壁部材が積み重ねられたときに該他の側壁部材の係止穴又は前記第２側壁部材の係止穴の内壁面に接面するように構成されていることを特徴とする請求項２に記載の商品陳列用什器。
【請求項４】
前記第１側壁部材の突起部の先端は、丸み加工が施されていることを特徴とする請求項２又は３に記載の商品陳列用什器。
【請求項５】
前記上部補強棚には広告塔が載置されることを特徴とする請求項１〜４の何れか１項に記載の商品陳列用什器。
【請求項６】
前記上部補強棚に載置される広告塔には、前記上部補強棚の前記連結部材に係合する係合部が設けられ、該係合部の係合により前記連結部材に対する位置決めがなされることを特徴とする請求項５に記載の商品陳列用什器。
【請求項７】
前記広告塔の前記係合部は、該広告塔の基部を構成し、前記連結部材と直交して載置される一対の側板の下辺に設けられた半円状の前方係止部と、前記一対の側板の下辺から上方向に延在する帯状の第１切り込み部と該第１切り込み部に直交し前記側板の後方に延在し帯状であり終端が半円形状である第２切り込み部とから成る略Ｌ字型の後方係止部と、を有することを特徴とする請求項６に記載の商品陳列用什器。
【考案の詳細な説明】
【技術分野】
【０００１】
本考案は、商品陳列用什器、特にコンビニエンスストア等の店舗内に、商品を並べた商品陳列用棚を多段にして陳列する商品陳列用什器に関する。
【背景技術】
【０００２】
コンビニエンスストア等の店舗内には、陳列のための占有スペースをコンパクトにし、外観上の体裁を良好ならしめた、商品陳列棚を多段に構成した商品陳列用什器が多用されている。
【０００３】
例えば、一対の側壁部材を左右に離して互いに対向させ、この一対の側壁部材の前後２箇所を連結部材にて連結した商品品列棚が使用されている。一対の側壁部材は金属板で、連結部材は金属製の円柱部材を用いて構成することが可能であり、商品を前後一列に収納したプラスチック樹脂製のトレイがこれらの連結部材に架け渡すようにして載置される。
【０００４】
また、上記の側壁部材には、上部に他の側壁部材が載せられるように、結合手段が設けられており、一対の側壁部材と連結部材とトレイで構成される商品陳列棚が必要な段数だけ重ねることを可能にしている。
【０００５】
従って、複数段に重ねられた商品陳列棚の一段一段に、所定の数のトレイが横に並べられて、商品が陳列されることとなる。このような商品陳列用什器は、陳列のための占有スペースがコンパクトであり、外観上の体裁を良好ならしめたものと言える。
【０００６】
なお、例えば特許文献１には、長尺部材と短尺部材を長方形状に組み立ててなる枠体と、枠体の長手方向に任意の間隔で配置され、且つ枠体の相対向する長尺部材間に差し渡し状態にして両長尺部材に着脱可能に取り付けられると共に整列して載置される商品を前方に移動する複数の前出し式商品陳列ユニットが開示されている。そして、上記の枠体は、支柱にブラケットを介して支持できる構成を有している。それ故、特許文献１の商品陳列用什器も、陳列のための占有スペースをコンパクトにし、外観上の体裁を良好ならしめたものと言うことができる。
【０００７】
【特許文献１】特開平１１−３４６８７９号公報
【考案の開示】
【考案が解決しようとする課題】
【０００８】
上記の一対の側壁部材と連結部材とにより商品陳列棚を構成し、この商品陳列棚を多段に重ねた商品陳列用什器は、横幅が商品を収納するトレイの員数で決められる。この場合、トレイの数を多くし過ぎると、トレイが架け渡される連結部材が商品の重さで撓んでしまうという問題があった。連結部材が商品の重さで撓むと、それに伴い一対の側壁部材の間隔が変化、即ち上部の間隔が縮まるという現象も発生する。この問題をここでは、商品陳列棚の剛性不足の問題と称する。
【０００９】
他の問題は、最上段の商品陳列棚の上部空間は開放されており、いわゆるデッドスペースになっているという問題である。この空間を例えば、商品の宣伝等に利用できるならば、消費者の商品購買意欲が増すこととなる。
【００１０】
上記の特許文献１で開示されている商品陳列棚においては、同一サイズの複数の枠体（商品陳列棚）を支柱にブラケットを用いて取り付けた構成であり、上記の剛性不足の問題はないが、最上段の商品陳列棚の上部空間は開放されており、デッドスペースの問題があった。
【００１１】
本考案は、上記の課題を解決するために為されたものであり、その目的は、商品陳列棚の横幅を長くしても剛性不足で連結部材が撓むことがなく、且つ最上段の商品陳列棚の上部にデッドスペースがなく有効に活用できる使い勝手の良い商品陳列用什器を提供することにある。
【課題を解決するための手段】
【００１２】
上記目的を達成するため、請求項１に記載の商品陳列用什器は、複数の商品を前後に整列させて列の前方に向かって付勢した状態で収容可能な商品収容器と、該商品収容器を装着することによって前記商品を前記商品収容器に収容された状態で陳列し、上下に複数段に積み重ね可能な商品陳列棚と、最上段の前記商品陳列棚に取り付けられる上部補強棚と、を有し、前記商品陳列棚は、前記商品収容器の左右に離れて互いに対向する一対の第１側壁部材と、該一対の第１側壁部材の間に介装されて前記一対の第１側壁部材を互いに連結し、前記商品収容器が載せられる連結部材と、前記第１側壁部材と該第１側壁部材に積み重ねられた他の第１側壁部材とを係止する陳列棚係止手段と、を有し、前記上部補強棚は、前記一対の第１側壁部材と同一間隔をおいて互いに対向する第２側壁部材と、該一対の第２側壁部材の間に介装されて前記一対の第２側壁部材を互いに連結する連結部材と、前記最上段の商品陳列棚の第１側壁部材と前記第２側壁部材とを係止する補強棚係止手段と、を有することを特徴とする。
【００１３】
斯かる構成を採用することで、一対の第１側壁部材が連結部材によって連結され、その連結部材に商品収納器を載置した商品陳列棚が実現される。そして、その商品陳列棚を段重ねにして陳列棚係止手段により係止して商品陳列棚を多段構成に組み立てた商品陳列用什器が実現される。その最上段の商品陳列棚には、一対の第２側壁部材が連結部材によって連結された上部補強棚が補強棚係止手段により取り付けられる。従って、商品陳列棚の横幅が長い場合、最下段の連結部材が商品の重さで撓み、それに伴い一対の第１側壁部材の間隔が変化、即ち上部の間隔が縮まるという、商品陳列棚の剛性不足の問題は、上部に載置される商品陳列棚により解消される。同様にして、第２段目の商品陳列棚の剛性不足の問題は第３段目の商品陳列棚により解消する。そして、最上段の彰品陳列棚の剛性不足の問題は、その上に載置される上部補強棚により解消される。
【００１４】
請求項２に記載の商品陳列用什器は、請求項１に記載の商品陳列用什器において、前記陳列棚係止手段は、前記第１側壁部材に設けられた上下方向に貫通する係止穴と、前記第１側壁部材の上方に向かって突出し、前記第１側壁部材の上部に他の第１側壁部材を積み重ねることによって該他の第１側壁部材の係止穴に挿入可能な突起部と、で構成され、前記補強棚係止手段は、前記第２側壁部材に設けられた上下方向に貫通する係止穴と、前記第１側壁部材の上方に向かって突出し、前記第１側壁部材の上部に前記第２側壁部材を積み重ねることによって該第２側壁部材の係止穴に挿入可能な突起部と、で構成されることを特徴とする。
【００１５】
斯かる構成を採用することで、第１側壁部材同士の係止、及び第１側壁部材と第２側壁部材との係止が容易に実現でき、従って、商品陳列棚を簡単に段重ねに構成することができる。また、最上段の商品陳列棚に上部補強棚を容易に載置することが可能となる。
【００１６】
請求項３に記載の商品陳列用什器は、請求項２に記載の商品陳列用什器において、前記第１側壁部材の突起部は、該第１側壁部材の上下方向に細長い平板状であって、且つ該平板状の突起部の短辺側には曲率が設けられており、他の第１側壁部材又は前記第２側壁部材が積み重ねられたときに該他の側壁部材の係止穴又は前記第２側壁部材の係止穴の内壁面に接面するように構成されていることを特徴とする。従って、突起部は割竹状の形状を有するので、上下の圧縮過重に対して折れ曲がり難くなり、繰り返しの使用に耐え得る。更に、突起部の曲率は第１側壁部材の係止穴及び第２側壁部材の係止穴の曲率と略同一であるので、突起部の側面はそれらの係止穴の内壁面に接面し、その結果、第１側壁部材同士の結合及び第１側壁部材と第２側壁部材との結合が強固なものとなる。
【００１７】
請求項４に記載の商品陳列用什器は、請求項２又は３に記載の商品陳列用什器において、前記第１側壁部材の突起部の先端は、丸み加工が施されていることを特徴とする。従って、第１側壁部材の突起部を他の第１側壁部材の係止穴に挿入する際に、又は第１側壁部材の突起部を第２の側壁部材の係止穴に挿入する際に、挿入し易く且つ係止穴を傷付け痛める恐れが軽減し、更に、突起部で第１側壁部材又は第２側壁部材の側面を傷つける恐れも軽減し、繰り返しの使用に耐え得る商品陳列用什器を提供できることとなる。
【００１８】
請求項５に記載の商品陳列用什器は、請求項１〜４の何れか１項に記載の商品陳列用什器において、前記上部補強棚には広告塔が載置されることを特徴とする。従って、最上段の商品陳列棚の上部空間はデッドスペースではなく、有効に宣伝広告を行うことが可能である。これにより、消費者は商品を購買する意欲が高まることとなる。
【００１９】
請求項６に記載の商品陳列用什器は、請求項５に記載の商品陳列用什器において、前記上部補強棚に載置される広告塔には、前記上部補強棚の前記連結部材に係合する係合部が設けられ、該係合部の係合により前記連結部材に対する位置決めがなされることを特徴とする。従って、広告塔は上部補強棚の連結部材に簡単に位置決めされ、載置することが可能である。
【００２０】
請求項７に記載の商品陳列用什器は、請求項６に記載の商品陳列において、前記広告塔の前記係合部は、該広告塔の基部を構成し、前記連結部材と直交して載置される一対の側板の下辺に設けられた半円状の前方係止部と、前記一対の側板の下辺から上方向に延在する帯状の第１切り込み部と該第１切り込み部に直交し前記側板の後方に延在し帯状であり終端が半円形状である第２切り込み部とから成る略Ｌ字型の後方係止部と、を有することを特徴とする。
【００２１】
斯かる構成を採用することにより、広告塔の上部補強棚への取り付けは、まず側板の後部係止部の第１切り込み部に上部補強棚の連結部材を挿入し、第１切り込み部の上端に当接させた後、広告塔を前方向に引いて、後部係止部の第２切り込み部の終端に上部補強棚の連結部材を当接させる。しかる後に、前方係止部を上部補強棚の連結部材に係止させることにより行われることとなる。その結果、広告塔は前方係止部を中心にして前方へは回転不可能となり、それ故広告塔が上部補強棚から落下する恐れは皆無であり、安定して支持できる。
【考案の効果】
【００２２】
本考案の商品陳列用什器によれば、剛性不足の問題と最上段の商品載置棚の上部空間のデッドスペースの問題を解決した簡単な構成の広告塔を具備した使い勝手の良い商品陳列用什器が提供される。
【考案を実施するための最良の形態】
【００２３】
以下、図面を参照しながら、本考案の商品陳列用什器を実施するための最良の形態について詳細に説明する。
【００２４】
本考案の商品陳列用什器は、たばこをたばこ箱単位で銘柄別に陳列するものであり、例えばコンビニエンスストアのレジカウンター等に設置されて使用されるものである。商品陳列用什器１は、たばこの銘柄毎に用意されて複数のたばこ箱Ｐが収容されるトレイ（商品収容器）２と、複数のトレイ２をたばこの銘柄別に並べて、たばこ箱Ｐをトレイ２に収容された状態で陳列する商品陳列棚３と、最上段の商品陳列棚３に取り付け、広告塔を載置するための上部補強棚５０と、この上部補強棚５０に載置する広告塔７０を備える。
【００２５】
図１は、本考案の商品陳列用什器１の商品陳列棚３の構成を説明する図である。商品陳列棚３は、左右に離れて互いに対向する一対の第１側壁部材３１、３１と、一対の第１側壁部材３１、３１の間に介装されて、これら一対の第１側壁部材３１、３１を互いに連結する連結部材４１とを有する。
【００２６】
第１側壁部材３１は、鋼板をプレス形成したプレス成形品であり、略矩形状の開口部Ｋを有する平板形状を有し、前後に一定の幅で延在する下辺部３２ａ及び上辺部３２ｂと、下辺部３２ａの前部から上方に向かって一定幅で延在し上辺部３２ｂの前部と接続する前辺部３３ａと、下辺部３２ａの後部から上方に向かって一定幅で延在し上辺部３２ｂの後部と接続する後辺部３３ｂが形成されている。
【００２７】
前辺部３３ａの前端縁、下辺部３２ａの下端縁、後辺部３３ｂの後端縁、上辺部３２ｂの上端縁には、内方に向かって突出するようにフランジが形成されており、第１側壁部材３１の剛性が確保されている。
【００２８】
そして、第１側壁部材３１には、第１側壁部材３１の上下方向に貫通する第１係止穴３５ａ、第２係止穴３５ｂ、第３係止穴３５ｃと、第１側壁部材３１の上方に向かって突出する突起部３６が設けられている。第１係止穴３５ａ、第２係止穴３５ｂ、第３係止穴３５ｃは、下辺部３２ａの前部と後部に設けられており、突起部３６は、前辺部３３ａの上部と、後辺部３３ｂの上部（又は上辺部３２ｂの前部と後部）に設けられており、商品陳列棚３の上に他の商品陳列棚３を積み重ねた場合に、下段の商品陳列棚３の突起部３６が、上段の商品陳列棚３の第１係止穴３５ａ、又は第２係止穴３５ｂに挿入されて、上下２段の商品陳列棚３が互いに係止される。
【００２９】
ここで、第１係止穴３５ａと第２係止穴３５ｂとの間隔、及び第２係止穴３５ｂと第３係止穴３５ｃとの間隔は、トレイに整列して収容される商品、即ちタバコ箱Ｐの整列方向の厚さと略等しい。また、突起部３６と第２係止穴の水平方向に位置は等しい。従って、商品陳列棚３を雛壇状に積み重ねる場合には、下段の商品陳列棚３の突起部３６を、上段の商品陳列棚３の第１係止穴３５ａに挿入すれば良い。商品陳列棚３を垂直に積み重ねる場合には、下段の商品陳列棚３の突起部３６を、上段の商品陳列棚３の第２係止穴３５ｂに挿入すれば良い。なお、側壁部材３１に第３係止穴３５ｃを設けた理由は、側壁部材３１により商品陳列棚を構成する場合に、左右の区別をすることなく左右共用で使用できるようにするためである。
【００３０】
第１側壁部材３１の突起部３６は、第１側壁部材３１の上下方向に細長い平板状であって、且つこの平板状の突起部の短辺側には曲率が設けられており、他の第１側壁部材３１が積み重ねられたときに、この他の第１側壁部材の第１係止穴３５ａ、又は第２係止穴３５ｂの何れか１つの係止穴の内壁面に接面するように構成されている。従って、突起部３６は割竹状の形状を有しているので、上下の圧縮過重に対して折れ曲がり難くなり、繰り返しの使用に耐え得る。更に、突起部３６の曲率は第１係止穴３５ａ及び第２係止穴３５ｂの曲率と同一であるので、突起部３６の側面は係止穴３５の内壁面に接面し、その結果、第１側壁部材３１同士の結合が強固なものとなる。
【００３１】
更に、第１側壁部材３１の突起部３６の先端は、丸み加工が施されている。従って、第１側壁部材３１の突起部３６を他の第１側壁部材３１の係止穴３６に挿入する際に、挿入し易く且つ係止穴３６を傷付け痛める恐れが軽減し、繰り返しの使用に耐え得る。更に、突起部３６にて第１側壁部材３１の側面を傷つける恐れも低減する。
【００３２】
また、第１側壁部材３１には、連結部材４１を取り付けるための取付孔３７が穿設されている。取付孔３７は、下辺部３２の前部と後部の２箇所に設けられており、下辺部３２ａの下端縁から同一の高さ位置に位置する。
【００３３】
連結部材４１は、金属製の円柱部材によって構成される。連結部材４１は、後述するトレイ本体１１の横幅の整数倍の長さと同一若しくは若干長い軸長の軸部４２を有し、軸部４２の両端部にねじ穴４３が各々螺設されている。この連結部材４１は、取付ねじ４５を側壁部材３１の取付穴３７に挿入させて、連結部材４１のねじ穴４３に螺入することによって、側壁部材３１に固定することができるようになっている。なお、連結部材４１は、軸部４２の長さがトレイ本体１１の横幅と同一若しくは若干長いものを、トレイ２の個数分だけ互いに螺合したものであっても良い。図１においては、連結部材４１は、トレイ本体１１の横幅と同一若しくは若干長いものを３本、互いに螺合したものである。
【００３４】
図２は、商品陳列用什器１のトレイ（商品収容器）２の構成を説明する図である。トレイ２は、同一銘柄の複数のたばこ箱Ｐを前後一列に整列させて、列の前方に向かって付勢した状態で収容可能な構成を有しており、トレイ本体１１と付勢手段２１によって構成される。
【００３５】
トレイ本体１１は、例えば透明のアクリル樹脂等の剛性樹脂材料によって構成されており、細長矩形の底面部１１Ａと、底面部１１Ａの一対の長辺からそれぞれ起立して互いに対向する左右の側面部１１Ｂ、１１Ｃと、底面部１１Ａの一方の短辺から起立する前面部１１Ｄ及び他方の短辺から起立する後面部１１Ｅを備えた細長矩形の深皿形状を有する。そして、底面部１１Ａの下面には、底面部１１Ａの長辺に沿ってトレイ本体１１の前後に延在するように一対のリブ１１Ｆ、１１Ｆが突設されている。
【００３６】
トレイ本体１１の大きさは、たばこ箱Ｐの横幅寸法よりも若干大きな距離を有して左右の側面部１１Ｂ、１１Ｃが対向し、たばこ箱Ｐを立てて前後一列に整列させて収容した場合に、タバコ箱Ｐの下部がトレイ本体１１内に収容される深さを有している。
【００３７】
トレイ本体１１の底面部１１Ａには、付勢手段２１の当接板２２をたばこ箱Ｐの配列方向であるトレイ本体１１の長手方向に摺動可能に支持するレール部１２と、付勢ばね２３の先端部２３ａを固定するばね固定部１３と、トレイ本体１１が商品陳列棚３の連結部材４１に載せられた状態で商品陳列棚３の連結部材４１に係合する係合部１４が形成されている。この係合部１４は、底面部１１Ａの下面に突設されたリブ１１Ｆの一部を切り欠いて構成されている。
【００３８】
レール部１２は、底面部１１Ａの左右方向略中央部にて底面部１１Ａの長手方向に延在するように形成された溝状の開口部によって構成されている。そして、ばね固定部１３は、レール部１２の前端部よりも前面部１１Ｄ寄りの位置において、底面部１１Ａから上方に向かって突設された小突起部によって構成されている。
【００３９】
付勢手段２１は、トレイ本体１１に収容されたたばこ箱Ｐを列の前方に向かって付勢するものであり、当接板２２と付勢ばね２３を有する。当接板２２は、例えばアセタールコポリマ等の合成樹脂材料によって構成されており、底面部１１Ａに沿うようにレール部１２に係合して摺動する摺動部２２ａと、摺動部２２ａから上方に向かって突出し、列最後のたばこ箱Ｐの背面に接面する平面状の当接面部２２ｂが形成されている。
【００４０】
付勢ばね２３は、巻き癖が付けられた渦巻き状の板ばねによって構成されていり、図示していない巻回部が当接面部２２ｂの背面側に配置され、巻回部から引き出された付勢ばね２３の先端部２３ａがばね固定部１３に固定されて、当接板２２をトレイ本体１１の前方に向かって付勢している。
【００４１】
図３は、最上段の商品陳列棚３に取り付ける上部補強棚５０を説明する斜視図である。上部補強棚５０は、商品陳列棚３を構成する一対の第１側壁部材３１、３１と同じ間隔をおいて左右に離れて互いに対向する一対の第２側壁部材５１、５１と、一対の第２側壁部材５１、５１の間に介装されて、これら一対の第２側壁部材５１、５１を互いに連結する連結部材４１とを有する。また、第２側壁部材５１の前後の長さは第１側壁部材３１の前後の長さと同じである。
【００４２】
第２側壁部材５１は、鋼板をプレス形成したプレス成形品であり、前後に一定の幅で延在する平板形状を有し、下辺部５２ａ、上辺部５２ｂ、前辺部５３ａ、後辺部５３ｂが形成されている。
【００４３】
前辺部５３ａの前端縁、下辺部５２ａの下端縁、後辺部５３ｂの後端縁、上辺部５２ｂの上端縁には、内方に向かって突出するようにフランジが形成されており、第２側壁部材５１の剛性が確保されている。
【００４４】
そして、第２側壁部材５１には、第２側壁部材５１の上下方向に貫通する第１係止穴５５ａ、第２係止穴５５ｂ、第３係止穴５５ｃが設けられている。第１係止穴５５ａ、第２係止穴５５ｂ、第３係止穴５５ｃは、下辺部５２ａの前部と後部に設けられており、最上段の商品陳列棚３の上に上部補強棚３を積み重ねた場合に、下段の商品陳列棚３の突起部３６が、上段の上部補強棚５０の第２係止穴３５ｂに挿入されて、最上段の商品陳列棚３と上部補強棚５０が互いに係止される。
【００４５】
ここで、第１係止穴５５ａと第２係止穴５５ｂとの間隔、及び第２係止穴５５ｂと第３係止穴５５ｃとの間隔は、トレイに整列して収容される商品、即ちタバコ箱Ｐの整列方向の厚さと略等しい。また、第１側壁部材の突起部３６と第２係止穴の水平方向に位置は等しい。なお、第２側壁部材５１に第３係止穴５５ｃを設けることにより、第２側壁部材５１により上部補強棚５０を構成する場合に、左右の区別をすることなく左右共用で使用することができる。
【００４６】
第２側壁部材５１には、連結部材４１を取り付けるための取付孔５７が穿設されている。取付孔５７は、第２側壁部材５１の前部と後部の２箇所に設けられており、第２側壁部材５１の上下方向の略中間に位置する。なお、連結部材４１は図１において説明したものと同一であり、トレイ本体の横幅と同一若しくは若干長いものを３本、互いに螺合したものである。
【００４７】
図４は、本考案の商品陳列用什器１の上部補強棚５０に載置する広告塔７０の一例を示す斜視図である。広告塔７０は、基部５１と表示部５５とから構成される。基部５１は、一対の略直角三角形状の側板５６、５６を一定の間隔を置いて連結片５７ａ、５７ｂで接続した構成になっている。一対の側板５６、５６は連結部材４１と直交して、連結部材４１に載置される。側板連結片５７ａは、側板５６の後部同士を接続しており、連結片５７ｂは、側板５６の前部の上部同士を接続している。
【００４８】
側板５６の下辺には、上部補強棚５０の連結部材４１に載せられた状態で上部補強棚５０の連結部材４１に係合する係合部が側板５６の前後にそれぞれ形成されている。側板５６の下辺に設けられた前方係止部５２ａは、半円形状である。後方係止部５２ｂは、側板５６の下辺から上方向に延在する帯状の第１切り込み部５３ａと第１切り込み部５３ａに直交し側板５６の後方に延在し帯状であり終端が半円形状である第２切り込み部５３ｂとから成る。後方係止武５３ｂはいわゆる略Ｌ字型をなしている
【００４９】
広告塔７０の上部補強棚５０への取り付けは、まず側板５６の後部係止部５２ｂの第１切り込み部５３ａに上部補強棚５０の連結部材４１を挿入し、第１切り込み部５３ａの上端に当接させた後、広告塔７０を前方向に引いて、後部係止部５２ｂの第２切り込み部５３ｂの終端に上部補強棚５０の連結部材４１を当接させる。しかる後に、前方係止部５２ａを上部補強棚５０の連結部材４１に係止させることにより行われることとなる。その結果、広告塔７０は前方係止部５２ａを中心にして前方へは回転不可能となり、それ故広告塔７０が上部補強棚５０から落下する恐れは皆無であり、安定して支持できる。
【００５０】
表示部５５は、前面及び後面が全面開口され、略長方形状の広告板５８が挿入可能な枠部６０で構成されている。広告板５８は、この枠部６０の上部から挿入され、開口面を通して前方及び後方から広告の内容を確認することができるように構成されている。なお、枠部６０には基部５１と連結するための固定片５４が取り付けられており、この固定片５４に設けられた取り付け穴（図示していない）に固定ねじ５４を挿入し、連結片５７ｂに螺設されたねじ穴（図示していない）に螺合して、表示部５５と基部５１とを堅固に固定するように構成されている。
【００５１】
図５は、商品陳列用什器１の使用状態の一例を示す図である。商品陳列用什器１を設置するときは、まず、商品陳列棚３を設置する設置場所の大きさと、トレイ２の所望個数に基づいて、商品陳列棚の横幅と、積み重ねる段数を決定し、次いで、斯かる構成に必要な数量だけ、第１側壁部材３１、第２側壁部材、連結部材４１、トレイ２を用意する。そして、商品陳列棚３を１段ずつ組み立てて、上下に積み重ねる。
【００５２】
例えば、図５に示すように、商品陳列棚３の横幅を、トレイ２が３個左右に並べられる大きさとし、商品陳列棚３を上下に３段積み重ねる構成に決定した場合、６枚の第１側壁部材３１と、２枚の第２側壁部材５１と、８本の連結部材４１と、９個のトレイ２を用意する。
【００５３】
そして、一対の第１側壁部材３１、３１を左右に離間させて互いに対向させ、連結部材４１を一対の側壁部材３１、３１の前部間及び後部間に介装し、取付ねじ４５を螺入して１個目の商品陳列棚３が組み立てられる。
【００５４】
同様に、２個目の商品陳列棚３を組み立て、１個目の商品陳列棚３の上に２個目の商品陳列棚３を積み重ねて、１個目の商品陳列棚３の突起部３６を、２個目の商品陳列棚３の中央の係止穴３５に挿入し、上下２段の商品陳列棚３を互いに係止する。同様にして、３個目の商品陳列棚３を組み立て、２個目の商品陳列棚３の上に３個目の商品陳列棚３を積み重ね、２個目の商品陳列棚３の突起部３６を、３個目の商品陳列棚３の中央の係止穴３５に挿入する。これにより、トレイ２を３個並べることができ且つ上下３段に積み重ねられた商品陳列用什器１の商品陳列棚３が完成する。
【００５５】
次に、一対の第２側壁部材５１、５１を一対の第１側壁部材３１、３１の間隔と同じだけ左右に離間させて互いに対向させ、連結部材４１を一対の第２側壁部材５１、５１の前部間及び後部間に介装し、取付ねじ４５を螺入し上部補強棚５０を組み立てる。
【００５６】
そして、最上段の商品陳列棚３に、上部補強５０を取り付ける。これは、最上段の第１側壁部材３１に設けられた突起部５６を、上部補強棚５０に設けられた第２係止穴５５ｂに挿入することで行われる。最後に、上部補強棚５０に広告塔７０を載置することで、商品陳列用什器１が完成する。
【００５７】
次いで完成した商品陳列用什器１にトレイ２を装着する。トレイ２には、予め同一銘柄の複数のたばこ箱Ｐが前後一列に整列されて列の前方に向かって付勢された状態で収容されている。各トレイ２は、一対の第１側壁部材３１、３１の前部間及び後部間に介装された連結部材４１の間に亘って架け渡されるように、これら２本の連結部材４１の上にトレイ本体１１が載せられる。そして、連結部材４１の一部がトレイ本体１１の係合部１４に入り込み、連結部材４１に係合される。
【００５８】
上記商品陳列用什器１によれば、商品陳列棚３の一対の第１側壁部材３１、３１に係止穴３５ａ、３５ｂ、３５ｃを設け、また一対の第１側壁部材３１、３１にその係止穴３５ａ、３５ｂ、３５ｃに挿入する突起部３６を設け、上部補強棚５０に第１側壁部材３１の突起部３６に挿入可能な係止穴５５ａ、５５ｂ、５５ｃを設けたので、商品陳列棚３の横幅を長くしても剛性不足で連結部材４１が撓むことがなく、且つ最上段の商品陳列棚３の上部にデッドスペースがなく有効に活用できる使い勝手の良い商品陳列用什器１を提供することができる。従って、本商品陳列什器１は見た目に美しく、更に広告塔７０により消費者の購買意欲を大いに増すことが可能である。
【００５９】
なお、本考案は、上述の実施の形態に限定されるものではなく、本考案の趣旨を逸脱しない範囲で種々の変更が可能である。例えば、上述の実施の形態では、商品の例としてたばこ箱Ｐの場合を説明したが、清涼飲料水のボトルであっても良い。
【図面の簡単な説明】
【００６０】
【図１】本考案の商品陳列用什器の商品陳列棚の構成を説明する斜視図である。
【図２】本考案の商品陳列用什器の商品収容器の構成を説明する斜視図である。
【図３】本考案の商品陳列用什器の上部補強棚の構成を説明する斜視図である。
【図４】図３の上部補強棚に載置する広告塔の一例を示す斜視図である。
【図５】本考案の商品陳列用什器の使用状態の一例を示す斜視図である。
【符号の説明】
【００６１】
１  商品陳列用什器
２  トレイ（商品収容器）
３  商品陳列棚
１１  トレイ本体
１４  係合部
３１  第１側壁部材
３５、５５  係止穴
３６  突起部
４１  連結部材
５０  上部補強棚
５１  第２側壁部材
７０  広告塔
Ｐ  たばこ箱（商品）
Ｋ  開口部
【図１】
0003139958.tif 000003
【図２】
0003139958.tif 000004
【図３】
0003139958.tif 000005
【図４】
0003139958.tif 000006
【図５】
0003139958.tif 000007